(57)【要約】【課題】  家具などに使用される分離可能の引出し用レールを提供する。【解決手段】レール１０、摺動フレーム１１、内部レール２０、制御プレート２４を備え、該レールの一側の上，下部に夫々案内溝１０１が形成され、一端に凸部１２１を有する止め部１２が設けられると共に、他端の付近に制限部１３が設けられ、摺動フレーム１１が摺動自在にレール１０に設けられ、案内溝１０１と対応する摺動フレーム１１の上，下側に複数のボール１１１が設けられ、内部レールが摺動自在に摺動フレームに設けられ、内部レールに夫々フック部２１と挟持部２３が設けられる引出し用レールであって、制御プレート２４は、フック部と挟持部の間に設けられ、一側にフック部と係止する係止部２４１が設けられると共に、他側に挟持部と係止する係止端２４２が設けられ、係止端の両側に前記凸部と係止する突出部が設けられ、内側に内部レールと対応する支持ブロックが設けられる。【選択図】  図１
0003110974.tif 000002
【実用新案登録請求の範囲】
【請求項１】
レール、摺動フレーム、内部レール及び制御プレートを備え、該レールの一側の上、下部に夫々案内溝が形成され、一端に凸部を有する止め部が設けられると共に、他端の付近に制限部が設けられ、該摺動フレームが摺動自在にレールに配設され、該案内溝と対応する摺動フレームの上、下側に複数のボールが設けられ、該内部レールが摺動自在に摺動フレームに設けられ、内部レールに夫々フック部と挟持部が設けられる引出し用レールであって、
前記制御プレートは、フック部と挟持部の間に配設され、一側にフック部と係止する係止部が設けられると共に、他側に挟持部と係止する係止端が設けられ、該係止端の両側に前記凸部と係止する突出部が設けられ、内側に内部レールと対応する支持ブロックが設けられることを特徴とする引出し用レール。
【請求項２】
前記挟持部と貫通孔との間の内部レールに、制御プレー用の位置決め部材が設けられると共に、制御プレートを押し下げやすくするための貫通孔が形成され、該挟持部の隣りに係止孔が形成され、前記制御プレートに位置決め部材に対応する位置決め孔が形成されると共に、係止孔に対応する係止ブロックが設けられることを特徴とする請求項１に記載の引き出し用レール。
【請求項３】
前記制御プレートは、先端部の係止部が内部レールに向かって湾曲状から連続する構造となっており、中段には円弧状部分が設けられ、後端側の係止端は係止部方向に上昇する斜面構造となっており、係止部の付近には押圧凹部が形成され、かつ前記内部レールと対向するレールの一側に摺動自在の固定レールが設けられることを特徴とする請求項２に記載の引出し用レール。
【考案の詳細な説明】
【技術分野】
【０００１】
本考案は、特に家具などに使用される分離可能の引出し用レールに関するものである。
【背景技術】
【０００２】
一般に引出し又は滑動フレームの両側には、これらが摺動するためのレールが用いられるが、従来の引出し用レールは、図８に示すように、断面コ字状に形成されており、一側の上，下部には夫々案内溝７０１が設けられた構成のレール７０形状からなり、前記案内溝７０１の両端には、一方に二つのブロック部７２１を有する係止部７２が、他方には止め部材７３が設けられている。また、前記レール７０の長手方向中間部には、案内溝７０１の凹面に転動接触するボール７４１を有する摺動フレーム７４が配設され、摺動フレーム７４をレール７０の係止部７２と止め部材７３との間で自在に摺動できるようにしている。
【０００３】
また、前記摺動フレーム７４には、前記ボール７４１と接触する内部レール７５が設けられ、該ボール７４１と対応する内部レール７５の一側にフック部７５１、係止孔７５２及び挟持部７５３が設けられ、該フック部７５１と挟持部７５３の間に制御プレート７６が設けられている。
【０００４】
さらに、図９に示すように、前記係止孔７５２と対応する内部レール７５に係止ブロック７５４が設けられ、前記制御プレート７６の一端にフック部７５１と係止する係止部７６１が設けられると共に、他端に前記挟持部７５３と係止する係止端７６２が設けられ、該内部レール７５と対応する制御プレート７６の一側に前記係止孔７５２と対応する係止ブロック７６３が設けられ、該係止端７６２の両側に前記ブロック７２１と係止する突出部７６４が設けられ、又、前記係止部７６１の付近の制御プレート７６に円弧状押圧凹部７６５が形成されている。
【０００５】
そして、前記内部レール７５が係止部７２を介して摺動フレーム７４に設置された後では、内部レール７５を引き出そうとする際には、制御プレート７６の突出部７６４が係止部７２のブロック７２１と係止することにより、内部レール７５が前記レール７０から離脱することがない。
【０００６】
また、前記内部レール７５を摺動フレーム７４と分離しようとする際には、制御プレート７６の押圧凹部７６５を押圧して突出部７６４とブロック７２１とを離間することにより、内部レール７５をレール７０と分離することができるようになっている。
【考案の開示】
【考案が解決しようとする課題】
【０００７】
しかしながら、前記従来の引出し用レールの内部レール７５に形成される係止ブロック７５４は、内部レール７５の係止孔７５２の両側に設けられ、該内部レール７５は金属材質からなるので、プレスによって製造する際、係止孔７５２の付近に鋭い縁部が形成されてしまい、この鋭い縁部が制御プレート７６を損壊する恐れがある。更に、プレスモールドを長時間に亘って使用した後では、内部レール７５に鋭い縁部が形成されやすく、制御プレートと内部レール７５との組合せがスムーズに出来ないという問題を有する。
【０００８】
そこで、案出されたのが本考案であって、家具などに使用される分離可能の引出し用レールを提供することを目的としている。
【課題を解決するための手段】
【０００９】
本願の請求項１の考案は、レール、摺動フレーム、内部レール及び制御プレートを備え、該レールの一側の上、下部に夫々案内溝が形成され、一端に凸部を有する止め部が設けられると共に、他端の付近に制限部が設けられ、該摺動フレームが摺動自在にレールに配設され、該案内溝と対応する摺動フレームの上、下側に複数のボールが設けられ、該内部レールが摺動自在に摺動フレームに設けられ、内部レールに夫々フック部と挟持部が設けられる引出し用レールであって、前記制御プレートは、フック部と挟持部の間に配設され、一側にフック部と係止する係止部が設けられると共に、他側に挟持部と係止する係止端が設けられ、該係止端の両側に前記凸部と係止する突出部が設けられ、内側に内部レールと対応する支持ブロックが設けられることを特徴とする。
請求項２の考案は、請求項１に記載の引き出し用レールにおいて、前記挟持部と貫通孔との間の内部レールに、制御プレー用の位置決め部材が設けられると共に、制御プレートを押し下げやすくするための貫通孔が形成され、該挟持部の隣りに係止孔が形成され、前記制御プレートに位置決め部材に対応する位置決め孔が形成されると共に、係止孔に対応する係止ブロックが設けられることを特徴とする。
請求項３の考案は、請求項１又は２に記載の引き出し用レールにおいて、前記制御プレートは、先端部の係止部が内部レールに向かって湾曲状から連続する構造となっており、中段には円弧状部分が設けられ、後端側の係止端は係止部方向に上昇する斜面構造となっており、係止部の付近には押圧凹部が形成され、かつ前記内部レールと対向するレールの一側に摺動自在の固定レールが設けられることを特徴とする。
【考案の効果】
【００１０】
本考案は上記の課題を解決するものであり、内部レールのフック部と挟持部との間にプラスチック製の制御プレートが設けられることにより、鋭い縁部が形成されることなく、且つ優れた引き出し等の支持効果を得ることができる。
【考案を実施するための最良の形態】
【００１１】
以下、添付図面を参照して本考案の好適な実施の形態を詳細に説明する。尚、下記実施例は、本考案の好適な実施の形態を示したものにすぎず、本考案の請求範囲は、下記実施例そのものに何ら限定されるものではない。
【００１２】
図１は本考案に係る引出し用レールの第１実施例を示す分解斜視図であり、図２は本考案に係る引出し用レールの第１実施例を示す一部分解斜視図であり、図３は本考案に係る引出し用レールの第１実施例の止め部を示す一部斜視図であり、図４は本考案に係る引出し用レールの第１実施例の内部レールと制御プレートを示す分解斜視図であり、図５は本考案に係る引出し用レールの第１実施例の内部レールと制御プレートを示す断面図であり、図６は本考案に係る引出し用レールの第１実施例の制御プレートを押圧した状態を示す断面図であり、図７は本考案に係る引出し用レールの第２実施例を示す分解斜視図である。
【実施例１】
【００１３】
図１乃至図４に示すように、本考案に係る第１実施例の引出し用レールにあっては、断面コ字状形の長尺のレール１０からなり、該レール１０の一側の上、下部には長手方向に沿って夫々案内溝１０１が形成されると共に、同側の上下間には摺動フレーム１１が配設され、前記案内溝１０１と対応する摺動フレーム１１の上、下側には、それぞれ複数のボール１１１が所定の間隔で配設されることにより、摺動フレーム１１がレール１０の長手方向の前後に対し自在に摺動することができる。
【００１４】
又、前記レール１０の一側端には止め部１２が設けられると共に、他端より内方側には制限部１３が設けられている。したがって、前記摺動フレーム１１はレール１０の止め部１２と制限部１３との間を移動することができる。  
前記止め部１２の一側には、互いに平行する一対の凸部１２１と位置決めブロック１２２とがそれぞれ設けられている。
【００１５】
前記摺動フレーム１１には、図示しない引出しを設置するための摺動可能な内部レール２０が設けられ、該内部レール２０の両側が摺動フレーム１１におけるボール１１１と接触することにより、内部レール２０をレール１０に対して摺動することができるようになっている。
【００１６】
また、前記レール１０は摺動可能のように固定レール３０に設けられてもよく、レール１０を固定レール３０に設置した後、止め部１２と離れる固定レール３０の一端に、プレスによって外部にプラスチックを覆う止め部材３１が設けられることにより、レール１０が固定レール３０と分離することを防止し、又、該固定レール３０を家具又は引出しに設置することにより、レール１０、内部レール２０、及び固定レール３０を、二段式のレール構造とすることが可能である。
【００１７】
また、前記内部レール２０には貫通孔２２が形成されると共に、レール１０に対応する貫通孔２２の長手方向の両側には夫々フック部２１と挟持部２３がそれぞれ設けられ、該フック部２１と挟持部２３の間に弾性を有するプラスチック製の制御プレート２４が設けられている。該制御プレート２４の一側にはフック部２１と係止する係止部２４１が設けられ、他側には挟持部２３と係止する係止端２４２が設けられることにより、該制御プレート２４を内部レール２０に固定させる。又、該制御プレート２４を内部レール２０から取り外す際には、前記貫通孔２２に介して制御プレート２４を押し出すことにより、制御プレート２４を取り外すことが出来る。
【００１８】
図４及び図５に示すように、前記挟持部２３と貫通孔２２との間には制御プレート２４を位置決めるための位置決め部材２５が設けられ、又、前記フック部２１、位置決め部材２５、貫通孔２２、及び挟持部２３が、プレスによって内部レール２０と一体形成によって形成されると共に、挟持部２３の下端部に係止孔２３１が形成されている。
【００１９】
また、前記制御プレート２４の構造は、先端部の係止部２４１が内部レール２０に向かって湾曲状から連続する構造となっており、中段には円弧状部分が設けられ、後端側の係止端２４２は係止部２４１方向に上昇する斜面構造となっており、係止部２４１の付近には押圧凹部２４３が形成されている。また、前記係止端２４２の両側には前記凸部１２１と係止する突出部２４４が設けられ、内側に位置決め部材２５に対応する位置決め孔２４５が形成されると共に、係止孔２３１に対応する係止ブロック２４６が設けられ、該係止ブロック２４６の両側に支持ブロック２４７が設けられた構成となっているものである。
【００２０】
図６は本考案に係る引出し用レールの第１実施例の制御プレート２４を押圧した状態を示す断面図であり、引出し又は滑動式フレームを家具から外そうとしようとする場合には、使用者は、前記押圧凹部２４３を押圧して制御プレート２４を変形させ、突出部２４４が凸部１２１を通過できるようにすることにより、内部レール２０を摺動フレーム１１から分離することができる。
【実施例２】
【００２１】
図７は、本考案に係る引出し用レールの第２実施例を示す、図１相当図であって、構成は、前述の第１実施例と殆ど等しく、異なる部分は、前記制御プレート２４の両側に外側へ向かって伸びる突出部２４８が設けられると共に、この突出部２４８と前記突出部２４４の間に係止凹部２４９が形成されるという構成になっており、内部レール２０をレール１０に対して外側へ引き出すと、突出部２４８が凸部１２１の圧迫によって止め部１２を通過した後、凸部１２１が直ぐに突出部２４４を係止し、凸部１２１を係止凹部２４９に係止することにより、内部レール２０をレール１０に位置決めするようにしたものである。
【００２２】
前記内部レール２０をレール１０に挿入してゆくと、突出部２４８が係止端２４２の斜面の案内によって止め部１２を通過してゆき、制御プレート２４が凸部１２１同士の間に位置されるようになる。これにより、内部レール２０を引き出しても、制御プレート２４の突出部２４４が止め部１２の凸部１２１に係止していることにより、内部レール２０が摺動フレーム１１及びレール１０から外れることはない。
【００２３】
また、図６に示すように、引出し又は滑動式フレームを家具から外す場合には、使用者は前記押圧凹部２４３を押圧して制御プレート２４を変形させ、突出部２４４が凸部１２１を通過できるようにすることにより、内部レール２０を摺動フレーム１１から分離させることができる。
【産業上の利用可能性】
【００２４】
本考案は上記の構成を有するので、以下に示した特徴を有する。
１．本考案の制御プレートは材質をプラスチック製としたので、鋭い縁部が形成されることがない。
２．本考案の支持ブロック２４７と内部レール２０との接触は線状であるので、従来の係止ブロック７５４と内部レール７５との点接触より優れた支持効果を得ることができる。
【図面の簡単な説明】
【００２５】
【図１】本考案に係る引出し用レールの第１実施例を示す分解斜視図である。
【図２】本考案に係る引出し用レールの第１実施例を示す一部分解斜視図である。
【図３】本考案に係る引出し用レールの第１実施例の止め部を示す一部斜視図である。
【図４】本考案に係る引出し用レールの第１実施例の内部レールと制御プレートを示す分解斜視図である。
【図５】本考案に係る引出し用レールの第１実施例の内部レールと制御プレートを示す断面図である。
【図６】本考案に係る引出し用レールの第１実施例の制御プレートを押圧した状態を示す断面図である。
【図７】本考案に係る引出し用レールの第２実施例を示す分解斜視図である。
【図８】従来の引出し用レールを示す分解斜視図である。
【図９】従来の引出し用レールの制御プレートと内部レールを示す分解斜視図である。
【符号の説明】
【００２６】
１０        レール
１０１      案内溝
１１        摺動フレーム
１１１      ボール
１２        止め部
１２１      凸部
１２２      位置決めブロック
１３        制限部
２０        内部レール
２１        フック部
２２        貫通孔
２３        挟持部
２３１      係止部
２４        制御プレート
２４１      係止部
２４２      係止端
２４３      押圧凹部
２４４      突出部
２４５      位置決め孔
２４６      係止ブロック
２４７      支持ブロック
２４８      突出部
２４９      係止凹部
２５        位置決め部材
３０        固定レール
３１        止め部材
７０        レール
７０１      案内溝
７２        係止部
７２１      ブロック
７３        止め部材
７４        摺動フレーム
７４１      ボール
７５        内部レール
７５１      フック部
７５２      係止孔
７５３      挟持部
７５４      係止ブロック
７６        制御プレート
７６１      係止部
７６２      係止端
７６３      係止ブロック
７６４      突出部
７６５      押圧凹部
【図１】
0003110974.tif 000003
【図２】
0003110974.tif 000004
【図３】
0003110974.tif 000005
【図４】
0003110974.tif 000006
【図５】
0003110974.tif 000007
【図６】
0003110974.tif 000008
【図７】
0003110974.tif 000009
【図８】
0003110974.tif 000010
【図９】
0003110974.tif 000011